(57)【要約】  本発明は、薬品のための貯蔵送達ステーション用貯蔵容器に関する。  対応する貯蔵容器は、複数の薬品ポーションが同時に送達されることを防止する保持手段を備える。薬品ポーションは、多くの場合、この保持手段にとどまる。これは、本発明による貯蔵容器で防止される。貯蔵容器は、受入室（２）を囲み、円筒部（１１）および底面（２０）を有する筐体（１０）と、円筒部（１１）に回転可能に配設され、複数の突出部（３２）と、上記突出部の間に形成されたチャンネル（３３）とを有する分離装置（３０）であって、各突出部（３２）が面（３２ａ）を有し、面（３３ａ）の最上点が上部受取手段境界面（ＡＥ）を画定する、分離装置（３０）と、締結部（４１）および保持部（４２）を有する保持手段（４０）であって、保持部（４２）が送達用開口部（２１）と位置合わせされたチャンネル（３３’）に薬品ポーションが入ることを防止する、保持手段（４０）と、保持部（４２）から薬品ポーションを取り除くための少なくとも１つのカム（３５）であって、カム（３５）が保持部の上で受取手段境界面（ＡＥ）の上方で移動可能である、カム（３５）とを備える。
2019503235.tif 000002
【特許請求の範囲】
【請求項１】
薬品ポーションのための受入室（２）を囲み、円筒部（１１）および底面（２０）を有する筐体（１０）であって、前記底面が送達用開口部（２１）を有する、筐体（１０）と、
互いに間隔をあけて設けられた複数の突出部と、薬品ポーションを受けるために前記突出部の間に形成されたチャンネル（３３）とを有し、前記筐体（１０）の前記円筒部（１１）に回転可能に配設される分離装置（３０）であって、定義された数の薬品ポーションを受け入れるために、前記チャンネル（３３）の寸法が分離される前記薬品ポーションの寸法に適合され、各突出部（３２）が薬品ポーションのための前記受入室（２）に隣接する面（３２ａ）を有し、前記突出部（３２）の前記面（３２ａ）の最上点が上部受取手段境界面（ＡＥ）を画定する、分離装置（３０）と、
締結部（４１）および保持部（４２）を有する保持手段（４０）であって、前記保持部（４２）が前記送達用開口部（２１）より上かつ前記受取手段境界面（ＡＥ）より上に保持され、前記送達用開口部（２１）と位置合わせされたチャンネル（３３’）に前記薬品ポーションが入ることが防止される、保持手段（４０）と、
前記保持部（４２）から薬品ポーションを取り除くための少なくとも１つのカム（３５）であって、前記カム（３５）が前記保持部の上で前記受取手段境界面（ＡＥ）の上方で移動可能である、カム（３５）と
を備える、
薬品ポーションのための貯蔵送達ステーション用貯蔵容器。
【請求項２】
前記少なくとも１つのカム（３５）が、前記分離装置（３０）の中心部分（３１）の外周上に配設される
ことを特徴とする、
請求項１に記載の薬品ポーションのための貯蔵送達ステーション用貯蔵容器。
【請求項３】
前記少なくとも１つのカム（３５）が、平坦面および／または角度付き端面を有する
ことを特徴とする、
請求項１または２に記載の薬品ポーションのための貯蔵送達ステーション用貯蔵容器。
【請求項４】
前記チャンネル（３３）より上に、前記分離装置（３０）が同軸の凹部（３７）を有し、前記少なくとも１つのカムが転動要素（３５）として設計される
ことを特徴とする、
請求項１に記載の薬品ポーションのための貯蔵送達ステーション用貯蔵容器。
【請求項５】
前記転動要素が、球形、樽形、またはローラ形である
ことを特徴とする、
請求項４に記載の薬品ポーションのための貯蔵送達ステーション用貯蔵容器。
【請求項６】
前記保持手段（４０）の前記保持部（４２）が、その径方向端面（４２ａ、４２ｂ）で平坦化される
ことを特徴とする、
請求項１から請求項５のいずれかに記載の薬品ポーションのための貯蔵送達ステーション用貯蔵容器。
【発明の詳細な説明】
【技術分野】
【０００１】
本発明は、薬品のための貯蔵容器に関し、特に、薬品のための貯蔵送達ステーション用貯蔵容器に関する。
【背景技術】
【０００２】
たとえば、国際公開第２０１３／０３４５０４号パンフレットに開示されているものなどの現代の自動ブリスタ包装機械は、構成に応じて、数百の貯蔵送達ステーションを備えている。これらのそれぞれに、特定の薬品の複数の薬品ポーションが貯蔵され、個別の薬品ポーションは要求に応じて送達することができる。貯蔵送達ステーションに貯蔵された薬品ポーションは、医師によって定められた投与時間に従って、個別の患者のために集められて、ブリスタ包装機械によって、ブリスタ包装される。
【０００３】
１つまたは複数の個別薬品ポーションを送達するための対応する貯蔵送達ステーションは、薬品ポーションを集めるために制御される。貯蔵送達ステーションの制御中、個別薬品ポーションは分離装置によって分離され、送達用開口部を介して自動ブリスタ包装機械の案内装置に移送される。送達された薬品ポーションは、案内装置により、任意選択的に収集装置を介して、医師の処方に従って個別のまたは複数の薬品ポーションをブリスタ包装する包装装置に供給される。
【０００４】
貯蔵送達ステーションの貯蔵容器に貯蔵された薬品ポーションを分離するために、分離装置は、通常、ロータの外周上に配設される複数のチャンネルを有するロータを備える。チャンネルは通常、それらの寸法に関して、チャンネルにおいて薬品ポーションが上下にのみ配置でき、互いに隣り合っては配置できないように、各場合に分離される薬品ポーションに適合される。概して、チャンネルは、１つの薬品ポーションのみがこの空間に配置されるように設計される。
【０００５】
チャンネルから薬品ポーションを送達するために、チャンネルは貯蔵容器のハウジングの送達用開口部上に移動し、チャンネルに配置された薬品ポーションは送達用開口部に滑るまたは落下する。チャンネル上にあるさらなる薬品ポーションも送達されることを防止するために、送達用開口部より上の領域において、保持手段の保持部が、少なくとも送達用開口部と位置合わせされたチャンネル上に案内される。薬品ポーションの送達中、さらなる薬品ポーションがチャンネルに入らないことを保証するために、保持部は、チャンネルを分離する突出部の上面によって形成される平面のわずかに上方に案内される。
【０００６】
従来技術による貯蔵容器では、保持手段の保持部は平面状であり、そのため、薬品ポーションの形態によっては、１つまたは複数の薬品ポーションが保持部の上に残り、送達できない可能性がある。Ｘの数の薬品ポーションが貯蔵容器に貯蔵されている場合、従来技術による貯蔵容器では、保持部上にある薬品ポーションがそこから取り除かれることを保証するように注意が払われなければ、Ｘ−Ｙ（Ｙ＝保持手段上にある薬品ポーションの数）だけ送達される可能性がある。
【０００７】
薬品ポーションを補充するときは、貯蔵容器がもはや薬品ポーションを含まないことを保証しなければならないが、それは、同じ種類の薬品の異なるロットさえ混ぜることは避けなければならないためである。実際的には、手順は、貯蔵容器が外され、保持部から薬品ポーションを取り除くために振られ、次いで、最後に、取り替えられる。この方法でのみ、貯蔵容器からすべての薬品ポーションが送達できることを保証できる。
【発明の概要】
【発明が解決しようとする課題】
【０００８】
本発明の目的は、貯蔵容器に貯蔵されたすべての薬品ポーションを送達できることが保証される貯蔵容器を提供することである。
【課題を解決するための手段】
【０００９】
この目的は、請求項１による貯蔵容器によって達成される。貯蔵送達ステーションのための本発明による貯蔵容器は、円筒部および底面を有する、薬品ポーションのための受入室を囲む筐体を備え、底面は、分離された薬品ポーションが、たとえば案内装置に送達される送達用開口部を有し、送達チャンネルは、送達用開口部と案内装置との間に配設することができる。
【００１０】
複数の離間された突出部と、薬品ポーションを受けるために前記突出部の間に形成されたチャンネルとを有する分離装置は、筐体の円筒部に回転可能に配設される。突出部の向きまたは配置、および幅は、突出部間のチャンネルの寸法を定義する。定義された数の薬品ポーションをチャンネルごとに受け入れるために、チャンネルの寸法は、（チャンネルの配置および構成によって）分離される薬品ポーションの寸法に適合される。
【００１１】
各突出部は薬品ポーションのための受入室に隣接する面を有し、突出部の面の最上点は上部受取手段境界面を定義する。薬品ポーションを貯蔵するための受入室はこの受取手段境界面より上に配置され、分離装置のチャンネルは受取手段境界面の下で開く。
【００１２】
貯蔵容器は、締結部および保持部を有する保持手段をさらに備え、保持部は、送達用開口部より上かつ受取手段境界面より上に保持され、送達用開口部と位置合わせされたチャンネルに薬品ポーションが入ることが防止される。換言すれば、保持手段の保持部は常に、チャンネルがその間を延在する突出部より上に配設される。本発明によると、貯蔵容器は、保持部から薬品ポーションを取り除くためのカムをさらに備え、このカムは、保持部の上で受取手段境界面の上方で移動可能である。保持部の上で移動可能なこのカムを用いて、保持部の上にある薬品ポーションは取り除かれる。よって、少なくとも１つのカムは、貯蔵容器に導入されるすべての薬品ポーションを送達できることを保証し、未知の数の薬品ポーションが保持部上に残り、それによって、薬品ポーションの送達がもはや可能ではないが、貯蔵容器の薬品ポーションのすべては送達されていない状況は確実に避けられる。従来技術によって必要である「揺動」は、本発明による貯蔵容器ではもはや必要なく、それにより、ユーザが自動ブリスタ包装機械を操作するコストは大幅に減少する。
【００１３】
カムは、受取手段境界面より上の筐体の円筒部で、分離装置の回転運動によって保持部の上で移動される。好ましい実施形態において、少なくとも１つのカムが分離装置の中心部分の外周上に配設されることが規定される、すなわち、カムはチャンネルおよび突出部と同時に移動し、カムが１つだけ設けられる場合、その上にある任意の薬品ポーションを取り除くために、保持部上の１つの経路を、各回転分離装置によって案内または移動される。よって、本実施形態において、少なくとも１つのカムは分離装置の構成要素であり、少なくともカムは分離装置と一体で設計することができる、または、それに取り付けることができる。
【００１４】
薬品ポーションがカム自体の上に残るのを防止するために、さらに、保持手段の保持部からの薬品ポーションの「滑らかな」除去を保証するために、好ましい実施形態において、少なくとも１つのカムは非平坦面および／または角度付き径方向端面を有することが規定され、これらの端面は上方へ円錐形に収束する。
【００１５】
１つの実施形態において、カムは分離装置の構成要素でもよい。代替的な実施形態において、少なくとも１つのカムは、分離装置に直接接続されない。本実施形態において、チャンネルより上に、分離装置が同軸の凹部を有することが規定され、少なくとも１つのカムは、凹部に配設される転動要素として設計される。この転動要素はまた、分離装置の回転運動によって案内され、この案内中、凹部において、保持部上に置かれた薬品ポーションを取り除くが、これは、分離装置の回転運動が、静止した保持部自体の上で転動要素を移動させるためである。この第２の実施形態において、カムは分離装置にもはや接続されないが、それは同じ機能を実現する、すなわち、保持部の上面から薬品ポーションを取り除く（「一緒に運ぶ」）。
【００１６】
転動要素は有利なことには、球形、樽形、またはローラ形でもよく、凹部は任意選択的に、転動要素の正確な構成に適合させることができる。転動要素がたとえばローラとして構成される場合、凹部は、ローラとして形成された転動要素が案内される同軸環状間隙として設計することができる。環状間隙は、たとえば、筐体の円筒部によって、外部に対して区切られてもよい。内部の境界は、同様に分離装置の円筒部によって提供される。
【００１７】
保持手段の保持部上のカムの移動を簡略化するために、好ましい実施形態において、保持手段がその径方向端面上で平坦化されることが規定される。この平坦化はまた、筐体の薬品ポーションを保護するが、これは、回転運動中、薬品ポーションは、カムの端面に対して押圧されることがあるためである。特に、より小さい薬品ポーションは、この状況で損傷を受ける可能性がある。平坦化は、薬品ポーションをカムによってより簡単に移動できることを保証する。
【００１８】
本発明による貯蔵容器のいくつかの好ましい実施形態は、図面に関して以下で説明される。
【図面の簡単な説明】
【００１９】
【図１ａ−１ｄ】図１ａ〜図１ｄは、貯蔵容器の第１の実施形態の図を示す。
【図２ａ−２ｃ】図２ａ〜図２ｃは、第１の実施形態の断面図を示す。
【図３ａ−３ｃ】図３ａ〜図３ｃは、第１の実施形態の分離装置および保持手段の図を示す。
【図４】図４は、第２の実施形態の分離装置の図を示す。
【図５ａ−５ｄ】図５ａ〜図５ｄは、第３の実施形態による分離装置ならびに保持手段の図を示す。
【図６ａ−６ｃ】図６ａは、第４および第５の実施形態によるカムを示す。図６ｂは、第４の実施形態によるカムを、図６ｃは、第５の実施形態によるカムを示す。
【発明を実施するための形態】
【００２０】
図１ａおよび１ｂは、本発明による貯蔵容器１の第１の実施形態による貯蔵送達ステーションの２つの斜視図を示す。図１ｃおよび１ｄは、貯蔵容器の平面図を示し、図１ｄでは、図１ａ〜１ｃに示されている分離装置３０は省略されている。貯蔵容器のすべての表現において、カバーは、より良好な全体図のために省略されている。
【００２１】
第１の実施形態による貯蔵容器１は、薬品ポーションのための受入室２を囲み、下部に円筒部１１を有する筐体１０を備える。筐体１０は、送達用開口部２１を有する底面２０によって底部に対して区切られる（これに関しては図１ｄ参照）。底面２０は、分離装置３０と協働するさらなる中央の入れ物２２を有する。図１ｃから分かるように、分離装置３０は、筐体１０の円筒部１１に配設されて、薬品ポーションを受けるために複数のチャンネル３３を備える。チャンネル３３は、それぞれが面３２ａを有する複数の突出部３２によって形成される。
【００２２】
突出部３２の向きまたは配置、および幅は、突出部間でチャンネル３３の寸法を定義する。「分離」の目的を達成するために、定義された数の薬品ポーション（通常は１つ）が送達されることを保証するように注意が払われなければならない。このために、チャンネルの寸法を、分離される薬品ポーションの寸法に適合させることが必要である。よって、分離装置では、任意にすべての種類の薬品ポーションが分離可能ではなく、チャンネルの寸法に「一致する」ものだけが分離可能である。
【００２３】
突出部３２は、中心部分３１とともに、駆動装置（図示せず）によって移動されるロータを形成する。突出部３２は中心部分３１と一体で設計されてもよいが、突出部３２が中心部分３１の外周に取り付けられることも考えられ、よって、チャンネルは、中心部分３１の外周上に作られる。特に図１ｂで分かるように、筐体１０の円筒部１１は、保持手段４０が締結部４１によって固定される突出部１４を備える。保持手段は、円筒部１１のスロットを介して分離装置の領域に案内される保持部４２をさらに備える（これに関連してより正確には後続の図面を参照）。
【００２４】
貯蔵送達ステーションは、本発明による貯蔵容器１と、通常、薬品ポーションの送達または分離を調整または制御する構成要素とを備える。これらは通常、分離装置３０を移動させるためのモータ、ならびに薬品ポーションの送達を検証するためのセンサである。上記のさらなる構成要素は、筐体１２に配設できる。しかしながら、貯蔵分配ステーションは通常、２つの主要構成要素、貯蔵容器、および送達装置（図示せず）から構成され、貯蔵容器は、送達装置上に着脱可能に装着できる。貯蔵容器は、充填または洗浄のためにのみ取り外される。
【００２５】
しかしながら、貯蔵送達ステーションの正確な設計、ならびに貯蔵容器の制御および監視に必要な構成要素の配置は、本出願には重要でない。本発明は、貯蔵送達ステーションの貯蔵容器の正確な構成に関する。
【００２６】
貯蔵送達ステーション（または、任意選択的に貯蔵容器のみ）をより適切に操作可能にするために、ハンドル１３が前方領域に設けられる。
【００２７】
図２ａは、貯蔵分配ステーションの貯蔵容器の第１の実施形態の横方向部分断面図を示し、筐体１０ならびに円筒部１１の一部が切り取られており、そのため、中央分離装置３０を見ることができる。分離装置３０は中心部分３１を備え、いずれの場合にも面３２ａを有する複数の突出部３２が設けられる外周または生成面上に、中心部分３１の周上のこれらの突出部の配置および構成によって、複数のチャンネル３３が画定され、本実施形態において、各チャンネルは、チャンネルから薬品ポーションを１つだけ受けることができるように設計される。突出部３２の面３２ａは、（図３ｃおよび図４に視覚的に示される）上部受取手段境界面を画定し、それを介して、保持手段４０の保持部４２は案内される。保持部４２は、円筒部１１のスロットを介して、すなわち、保持部４２が受取手段境界面より上に配設されるように導入される。
【００２８】
さらにまた、カム３５は、水平スロットまたは間隙がカム３５の下面と受取手段境界面との間に形成されるように、分離装置３０の中心部分３１の外周上に配設される。保持手段の保持部４２は、スロットで、それを通して案内できるように設計される。
【００２９】
図２ｂおよび２ｃは、部分断面図の異なる図を示し、それらにおいては、筐体１０および円筒部１１の一部が切り取られており、そのため、分離装置３０の正確な設計ならびに筐体の円筒部１１におけるその配置を見ることができる。すでに図２ａに関して説明されたように、突出部３２は面３２ａを備え、面は受取手段境界面を定義する（図３ｃ、４参照）。突出部３２はチャンネル３３を画定し、図面の「前方に」図示されるチャンネル３３’は、送達用開口部２１（ここでは図示せず）と位置合わせされる。保持手段４０の保持部４２は、チャンネル３３'を上から覆い、そのため、さらなる薬品ポーションが、送達用開口部と位置合わせされたチャンネル３３’に入ることはできない。分離装置の回転中、カム３５は、保持部４２上の分離装置の回転方向の機能として移動し、任意選択的に、その上にある薬品ポーションは、カムの移動によって取り除かれる。
【００３０】
図３ａおよび３ｂは、分離装置３０ならびに保持手段４０の詳細を示し、図３ｂでは、２つの上記の部分は、互いに切り離して示される。分かるように、保持手段４０の保持部４２は、突出部３０の面３２ａによって形成される受取手段境界面より上に配設される。本実施形態において、分離装置の中心部分３１の外周上に配設されるカム３５は、分離装置の移動中、その上にある薬品ポーションの除去のために保持部の上面上を移動するように配設される。
【００３１】
図３ｃは、分離装置の正面図を示し、受取手段境界面ＡＥが２本の破線によって示されている。図３ｃから分かるように、受取手段境界面ＡＥは、突出部３２の面３２ａによって定義される。示される実施形態において、突出部の面３２ａは平面状である。代替的な実施形態において、面３２ａはたとえば球形または円錐状であることも考えられ、その場合、面の最上点が受取手段境界面を定義する。
【００３２】
保持手段の保持部（図３ｃには示されていない）は常に、受取手段境界面ＡＥの上に案内され、そのため、分離装置の回転が可能である。保持部の面より上で、よって、受取手段境界面よりも上で、カム３５は、分離装置の中心部分の外周に配設される。図３ｃで見ることができる中間空間３６は、保持手段の保持部を受けるために働く。分離装置３０は、分離装置を回転させるための、貯蔵容器の底面で入れ物２２と協働するより低い軸方向の突出部３８をさらに備える。
【００３３】
図４は、貯蔵容器の第２の実施形態を示し、これは、詳細のみ、すなわち、カム３５の構成において第１の実施形態と異なる。カム３５およびその配置のより良好な説明図のために、締結手段４０の締結部４１は省略され、保持部４２のみがカム３５と受取手段境界面ＡＥとの間の間隙に示されている。
【００３４】
図４から分かるように、カムの面は円錐状であり、そのため、薬品ポーションがカムの面上に残ることは防止される。分離装置の回転運動のため、薬品ポーションがカムの面上に残る可能性は、実際には限定されるが、ゆっくりと回転する分離装置の場合、図４に示されるカムの上面の構成は有利であることがある。さらにまた、薬品ポーションが保持部の面から滑らかに離れることを保証するために、図４に示されるカムの径方向端面は、垂直でなく、斜め下に突出する。しかしながら、代替的な実施形態においては、１つだけの設計変形例、すなわち、円錐状上面または面取りされた端面を選択できる。
【００３５】
図５ａ〜５ｄは、本発明による貯蔵容器の第３の実施形態を示し、図５ａおよび５ｂは斜視図を示し、図５ｃおよび５ｄは保持部４２とともに分離装置の正面図を示す。図５ａ、５ｂ、および５ｄにおいて、明瞭さのために、保持手段の締結部はここでも省略されている。
【００３６】
これらの図から分かるように、本実施形態において、カム３５は分離装置３０自体の一体部品ではないが、受取手段境界面より上で凹部３７に配設される（特に図５ｃ、５ｄ参照）球面転動要素として構成され、示される実施形態において、凹部は環状チャンネルとして構成される。よって、分離装置３０が筐体１０の円筒部分１１に配設されるとき、カム３５が配設され、分離装置の移動によって移動される環状間隙が形成される。
【００３７】
転動要素として構成されるカムは、分離装置のチャンネル３３のように、チャンネルおよび薬品ポーションの寸法に、そして適用可能である場合は薬品ポーションの重量に適合させなければならず、そのため、それはチャンネルにあまり深く侵入せず、それによって、保持部によって転動要素が持ち上がることを妨げる。
【００３８】
図５ａ〜５ｄに示される図において、カム３５は環状溝３７内の異なる位置で示される。図５ｃにおいて、たとえば、球面カムがチャンネル３３’の上方チャンネル開口部に部分的に配設される。分離装置の回転運動において、カム３５は、保持手段の方向にチャンネルとともに移動する。保持手段は、カムをチャンネル開口部から持ち上げ、カムがチャンネル開口部から持ち上げられた後、それは保持部４２の面上に移動され、そのため、保持部の面上にある任意の薬品ポーションが取り除かれる。
【００３９】
図６ａ、６ｂ、および６ｃは、転動要素として構成されるカムの２つのさらなる実施形態を示し、カムは、１つの事例においてはローラ３５’’として、１つの事例においては円錐形３５’として設計されている。図６ａには、凹部における転動要素の配置が示されており、図６ｂ、６ｃはそれぞれ、転動要素の側面図および正面図を示す。
【図１ａ】
2019503235.tif 000003
【図１ｂ】
2019503235.tif 000004
【図１ｃ】
2019503235.tif 000005
【図１ｄ】
2019503235.tif 000006
【図２ａ】
2019503235.tif 000007
【図２ｂ】
2019503235.tif 000008
【図２ｃ】
2019503235.tif 000009
【図３ａ】
2019503235.tif 000010
【図３ｂ】
2019503235.tif 000011
【図３ｃ】
2019503235.tif 000012
【図４】
2019503235.tif 000013
【図５ａ】
2019503235.tif 000014
【図５ｂ】
2019503235.tif 000015
【図５ｃ】
2019503235.tif 000016
【図５ｄ】
2019503235.tif 000017
【図６ａ】
2019503235.tif 000018
【図６ｂ】
2019503235.tif 000019
【図６ｃ】
2019503235.tif 000020
【国際調査報告】
2019503235.tif 000021
2019503235.tif 000022
2019503235.tif 000023
2019503235.tif 000024